(57)【要約】  【課題】  設置、撤去、運搬が容易で、風荷重に対する対抗力が十分で、なおかつ太陽電池モジュールの設置後にも採光面の変更が可能な太陽電池モジュールを提供する。  【解決手段】  板状の架台と、この架台に略垂直に取り付けられ、太陽電池モジュールを下から支えるための支柱と、この支柱の上端部に設けられ、太陽電池モジュールの受光面の傾斜角度を変化させるための回動部と、この回動部の上部に裏面側が固定された太陽電池モジュールとを備えた太陽光発電装置であって、前記太陽電池モジュールの受光面を所定の傾斜角度に固定すべく、前記架台の少なくとも３つの表面部位とこれらの表面部位に対応する前記太陽電池モジュールの裏面部位とに前記太陽電池モジュールを固定するためのループ状を成すワイヤを支持する支持部材を設け、これらの支持部材に前記ワイヤを装着したことを特徴とする太陽光発電装置。  【選択図】  図１
2005317588.tif 000002
【特許請求の範囲】
【請求項１】
板状の架台と、この架台に略垂直に取り付けられ、太陽電池モジュールを下から支えるための支柱と、この支柱の上端部に設けられ、太陽電池モジュールの受光面の傾斜角度を変化させるための回動部と、この回動部の上部に裏面側が固定された太陽電池モジュールとを備えた太陽光発電装置であって、前記太陽電池モジュールの受光面を所定の傾斜角度に固定すべく、前記架台の少なくとも３つの表面部位とこれらの表面部位に対応する前記太陽電池モジュールの裏面部位とに前記太陽電池モジュールを固定するためのループ状を成すワイヤを支持する支持部材を設け、これらの支持部材に前記ワイヤを装着したことを特徴とする太陽光発電装置。
【請求項２】
太陽電池モジュールを下から支えるための少なくとも３本の支柱と、これらの支柱が太陽電池モジュールを支えるようにするためもしくは太陽電池モジュールの受光面の傾斜角度を変化させるためにこれらの支柱の上端部に設けられ、これらの支柱の上端部と嵌合する嵌合部を有する回動部と、この回動部の上部に裏面側が固定された太陽電池モジュールとを備えた太陽光発電装置であって、前記太陽電池モジュールの受光面を所定の傾斜角度に固定すべく、前記複数の支柱のそれぞれの下端部位とこれらの下端部位に対応する前記太陽電池モジュールの裏面部位とに前記太陽電池モジュールを固定するためのループ状を成すワイヤを支持する支持部材を設け、これらの支持部材に前記ワイヤを装着したことを特徴とする太陽光発電装置。
【請求項３】
前記ワイヤの一部分に接合金具を設けたことを特徴とする請求項２に記載の太陽光発電装置。
【発明の詳細な説明】
【技術分野】
【０００１】
本発明は、太陽エネルギーを利用して発電を行う太陽電池モジュールを用いて簡単に設置することが可能で、かつ太陽電池モジュールの採光面を自由に設定することが可能な太陽光発電装置に関するものである。
【背景技術】
【０００２】
近年、地球環境問題への関心の高まりとともに、自然エネルギーを利用した新エネルギー技術が注目されている。そのひとつとして、太陽エネルギーを利用したシステムへの関心が高く、大型の発電所を建設できない発展途上国や送電のできない離村、砂漠や未開発地域などでの調査活動で電力源として、太陽電池を用いた独立電源システムが活躍している。独立電源システムは太陽電池で発電した電力をそのまま通信装置やポンプなどの負荷に供給する簡易型のほかに、昼間の発電電力を蓄電池などに貯えて負荷への供給電力の安定化や夜間照明などの非発電時での負荷への使用を可能とした蓄電型がある。このような独立電源システムでは架台と呼ばれる鉄やアルミニウム製のレールを組み合わせて作った設置台上に太陽光を電気に変換する太陽電池モジュールを載置する方法が一般的であり、このとき、架台に傾斜角を持たせて太陽電池モジュールを傾斜させ、発電効率を向上させるようにしている。この太陽電池モジュールを架台に搭載した状態のものを太陽光発電装置と称する。
【０００３】
以下にラミネート式の製造方法で作られる太陽電池モジュールを例にその構造を説明する。
【０００４】
図１１は従来の太陽電池モジュールの構成の例を示す断面図、図１２は従来の太陽光発電装置（太陽電池アレイ）の例を模式的に示す斜視図である。
【０００５】
図１１に示すように、太陽電池モジュール２０は、受光面にガラスや樹脂等の光透過板２４が設けられ、この光透過板２４に多数の太陽電池素子２３がＥＶＡ樹脂（Ｅｔｈｙｌｅｎｅ−Ｖｉｎｙｌ  Ａｃｅｔａｔｅ）等からなる封止材２５によってラミネートされ、その裏面である非受光面にはテフロン（Ｒ）フィルムやＰＶＦ（ポリフッ化ビニル）、ＰＥＴ（ポレエチレンテレフタレート）などの耐候性フィルム２６が貼着されたものであり、太陽電池素子２３としては、例えばシリコン系半導体やガリウムヒ素等から成る化合物半導体などの単結晶、多結晶や非晶質の材料が用いられ、互いに直列及び／または並列に電気的に接続されて、太陽電池モジュール２０の裏面、すなわち耐候性フィルム２６の上にはＡＢＳ樹脂などの合成樹脂やアルミニウム金属などで構成したジャンクションボックス１９を接着し、太陽電池モジュール２０の出力電力を取り出すターミナルに接続された送電線により出力が取り出される。
【０００６】
なお、これら光透過板２４、太陽電池素子２３および耐候性フィルム２６の重ね構造の矩形状の本体に対し、その各辺周囲をアルミニウム金属やＳＵＳ等から成る枠体２１を挟み込むように装着し、太陽電池モジュール２０の設置用固定部の役割を果たすようにしている。また、太陽電池モジュール２０の端部保護および全体の強度を高める強度向上の目的にも役立つ。枠体には鉄やステンレス、アルミニウムのような金属の折り曲げ材や押し出し成形、ＦＲＰなどの樹脂成型品が用いられ、枠体同士の組付けは直接ネジやリベットで結合されるものや、連結プレートのような補助部材を介して固定されたり、ガラスや樹脂等の光透過板２４に接着することで行われる。また、一体成型された枠に光透過板２４をはめ込む構造としてもよい。
【０００７】
そうして作られた太陽電池モジュールの発電電力を用いて、照明や電動機等の負荷を稼動させる。このとき、図１２に示すように、太陽電池モジュール２０を架台と呼ばれる鉄やアルミニウムなどのレールを組合わせた設置架台に載せて固定し、太陽光発電装置とするのであるが、太陽光発電装置は風などの風加重により飛ばされたり転倒させられたりしないように、架台の基部に基礎３１と呼ばれる埋設やコンクリート塊などの重量物を設けたり、設置面にアンカーなどを打ち込むなどして強固に固定するため、一旦設置してしまうと容易に方位を変えることができない。また、架台は基礎３１間を渡す底部レール３２、太陽電池モジュール２０を固定する上部レール３３、太陽電池モジュール２０を支持するとともに傾斜角をつくる短辺レール３４、長辺レール３５のように複数のレールがボルト等で締め付け固定されているので、組立て工数が多く、また、一旦締め付け固定してしまうと太陽の高さに合わせて傾斜角度を容易に変更することができない。また、設置場所の移設も容易でない。さらに太陽電池モジュールが１枚のような小型の太陽光発電装置で、携行を目的として架台上に重量物を載せるだけの簡易的な設置とした場合においても、架台の組み立ての手間や傾斜角度を容易に変更できないことは同様である。
【０００８】
そこで、太陽電池モジュールを搭載する架台を太陽電池モジュールと一体型にし、太陽電池モジュールをより簡単に設置できるような太陽電池モジュール（例えば、特許文献１参照）や、太陽電池モジュールの架台を駆動式にし、太陽電池モジュールの設置後でも採光面を動かすことができる太陽電池システム（例えば、特許文献２参照）が提案されている。
【０００９】
なお、上述の太陽光発電装置においては複数の太陽電池モジュールを用いた例を用いて解説しているが、太陽電池モジュールは１枚であっても同様である。
【特許文献１】特開平８−７８７１５号公報
【特許文献２】特開２００２−１６４５５９号公報
【発明の開示】
【発明が解決しようとする課題】
【００１０】
しかしながら、上記の従来技術のような太陽光発電装置において、設置後に太陽電池モジュールの発電面の角度を容易に変更できない設置方法では太陽の動きには追従できないため、発電効率をどの程度得られるかは設置された方角や傾斜角度によって決まることとなり、最大効率が得られる筈の時間帯に天候不順等があれば、その他の時間帯に良好な日照があったとしても、その時間帯を最大効率で発電させるようにすることはできない。
【００１１】
また、基礎などで強固に固定されているので、風荷重によって太陽光発電装置が飛ばされたり転倒したりすることは無いが、容易に移設できないといった問題もある。
【００１２】
一方、太陽電池モジュールを搭載する架台を太陽電池モジュールと一体型にし、太陽電池モジュールをより簡単に設置できるようにした太陽電池モジュールの場合には、容易な設置と、方向、傾斜角度の変更、撤去、及び運搬を可能にした反面、太陽電池モジュール設置時の簡易さゆえに風荷重に対して負荷が低く、風力によっては太陽電池モジュールが破損したり、太陽電池モジュールが飛ばされ、人に危害を及ぼしたり建造物を破損したりする恐れがあった。それを改善するために、風荷重に対抗させるために太陽電池モジュールをワイヤとペグで地面に固定する方法も提示されているが、この方法ではいずれか１本のワイヤに風荷重が全て加わる可能性があり、ワイヤの強度やペグの打ち込み具合、そして太陽電池モジュールとワイヤの結合部の強度が太陽電池モジュールを支えられるに十分な強度を有している必要があった。また、ワイヤで強固に固定してしまうと設置角度等の変更がしにくくなるといった問題も生じる。
【００１３】
また、太陽電池モジュールの架台部分を駆動式にし採光面を可動式にした太陽光発電装置とした場合は、太陽電池モジュールの採光面を上下に追従可能であるが方位の変更は出来ない。さらに可動式構造を保持するための支柱や、そのシステムに加わる風荷重に対抗するために強固な基礎が必要になる点では改善がなされない。
【００１４】
以上のことを鑑み本発明の目的は、設置、撤去、運搬が容易で、風荷重に対する対抗力が十分で、なおかつ太陽電池モジュールの設置後にも採光面の変更が可能な太陽光発電装置を提供することにある。
【課題を解決するための手段】
【００１５】
上記目的を達成するために、本発明の太陽光発電装置は、板状の架台と、この架台に略垂直に取り付けられ、太陽電池モジュールを下から支えるための支柱と、この支柱の上端部に設けられ、太陽電池モジュールの受光面の傾斜角度を変化させるための回動部と、この回動部の上部に裏面側が固定された太陽電池モジュールとを備えた太陽光発電装置であって、前記太陽電池モジュールの受光面を所定の傾斜角度に固定すべく、前記架台の少なくとも３つの表面部位とこれらの表面部位に対応する前記太陽電池モジュールの裏面部位とに前記太陽電池モジュールを固定するためのループ状を成すワイヤを支持する支持部材を設け、これらの支持部材に前記ワイヤを装着したことを特徴とする。
【００１６】
また、本発明の他の太陽光発電装置は、太陽電池モジュールを下から支えるための少なくとも３本の支柱と、これらの支柱が太陽電池モジュールを支えるようにするためもしくは太陽電池モジュールの受光面の傾斜角度を変化させるためにこれらの支柱の上端部に設けられ、これらの支柱の上端部と嵌合する嵌合部を有する回動部と、この回動部の上部に裏面側が固定された太陽電池モジュールとを備えた太陽光発電装置であって、前記太陽電池モジュールの受光面を所定の傾斜角度に固定すべく、前記複数の支柱のそれぞれの下端部位とこれらの下端部位に対応する前記太陽電池モジュールの裏面部位とに前記太陽電池モジュールを固定するためのループ状を成すワイヤを支持する支持部材を設け、これらの支持部材に前記ワイヤを装着したことを特徴とする。
【００１７】
さらに、本発明の他の太陽光発電装置は、前記ワイヤの一部分に接合金具を設けたことを特徴とする。
【発明の効果】
【００１８】
本発明の太陽光発電装置によれば、板状の架台と、この架台に略垂直に取り付けられ、太陽電池モジュールを下から支えるための支柱と、この支柱の上端部に設けられ、太陽電池モジュールの受光面の傾斜角度を変化させるための回動部と、この回動部の上部に裏面側が固定された太陽電池モジュールとを備えた太陽光発電装置であって、前記太陽電池モジュールの受光面を所定の傾斜角度に固定すべく、前記架台の少なくとも３つの表面部位とこれらの表面部位に対応する前記太陽電池モジュールの裏面部位とにそれぞれ前記太陽電池モジュールを固定するためのループ状を成すワイヤを支持する支持部材を設け、これらの支持部材に前記ワイヤを装着したことにより、架台を動かすことなく太陽電池モジュールの採光面を常に太陽光に向けることが可能となり、安定した発電量を供給することが可能となる。
【００１９】
また、風の負圧荷重に対して、支柱および回動部とワイヤによって太陽電池モジュールが板状の架台に支持されるようになり、風荷重に対する荷重分散が行なわれ、各構成部に対するストレスを軽減できる。
【００２０】
また、ワイヤに常に一定のテンション（張力）がかかるように、ワイヤ押え部を用いてワイヤの張力制御を行なわせるものとして、ワイヤの温度による伸び縮みによるたわみや過剰張力がかかるのを防止し、ワイヤのストレスを軽減させて寿命を延ばす事ができる。また、一定の張力に保つことによって太陽電池モジュールの方位、傾斜角度調整後に特にワイヤの固定をせずとも、一定に保たれた張力だけで状態の保持を行なえるようにすることもできる。
【００２１】
また、本発明の他の太陽光発電装置によれば、太陽電池モジュールを下から支えるための少なくとも３本の支柱と、これらの支柱が太陽電池モジュールを支えるようにするためもしくは太陽電池モジュールの受光面の傾斜角度を変化させるためにこれらの支柱の上端部に設けられ、これらの支柱の上端部と嵌合する嵌合部を有する回動部と、この回動部の上部に裏面側が固定された太陽電池モジュールとを備えた太陽光発電装置であって、前記太陽電池モジュールの受光面を所定の傾斜角度に固定すべく、前記複数の支柱のそれぞれの下端部位とこれらの下端部位に対応する前記太陽電池モジュールの裏面部位とにそれぞれ前記太陽電池モジュールを固定するためのループ状を成すワイヤを支持する支持部材を設け、これらの支持部材に前記ワイヤを装着したことにより、上記効果以外に、太陽光発電装置を不整地のような水平面でない場所へも安定した設置ができるようになり、しかも部品点数の削減および軽量化ができる。
【００２２】
さらに、本発明の他の太陽光発電装置によれば、前記ワイヤの一部分に接合金具を設けたことにより、輸送時の太陽光発電装置の体積を減少させることができ、搬送が容易になる。
【発明を実施するための最良の形態】
【００２３】
以下に、本発明の実施形態の一例を、模式的に図示した図面に基づいて詳細に説明する。
【００２４】
図１は本発明の太陽電池モジュールの実施形態の一例を示す斜視図であり、図２は正面図、図３は太陽電池モジュールを傾斜させた状態を示す側面図、図４の（ａ）〜（ｃ）は本発明に係る太陽光発電装置の回動部の構造を示す側面図であり、（ａ）は水平時、（ｂ）は傾斜時、（ｃ）は方位変更時の動きを示すものである。
【００２５】
図１に示すように、太陽光発電装置Ｓは、太陽電池モジュール１とこの太陽電池モジュール１の強度を強化し、また、太陽電池モジュール１を保持するバックパネル２と、バックパネル２を支持する支柱６と、支柱６を設置面上に保持する板状の架台であるベース板５と、ループ状をワイヤ３と、このワイヤ３を可動可能に支持する複数の支持部材４（４ａ〜４ｈ）とから成る。
【００２６】
なお、太陽電池モジュールの製法は従来と同様であるので特に説明しないものとする。また、本例では太陽電池モジュール１は枠体などをバックパネル２にネジ止めして固定するものとしているが、太陽電池モジュール１とバックパネル２を一体的に構成した太陽電池モジュールとしても良く、以降、太陽電池モジュールと称するものは太陽電池モジュール裏面にバックパネルを持つものを指すこととして説明する。
【００２７】
図２は太陽光発電装置ＳをＡ方向から見た図である。ベース板５上に立つ支柱６の先端には太陽電池モジュール１を支持する回動部６ａが設けられており、太陽電池モジュール１の中央周辺を支持している。この回動部６ａにおける太陽電池モジュール１を支持する点は太陽電池モジュール１の中央が最も理想的であり、中心から離れるほど回動部６ａと太陽電池モジュール１との接合部の強度を強くする必要がある。
【００２８】
回動部６ａは図４（ａ）〜（ｃ）に示すように、標準状態である図４（ａ）から、傾斜角度を有する図４（ｂ）や左右方向に回転する図４（ｃ）の動きの組合せによって前後左右に回動するようになっており、この回動を利用して太陽電池モジュールの方向、傾斜角度を変更可能とする。なお、回動方法は図４の構成に限定するものではなく、例えば球状の突起を球状の溝に嵌め込むものとしてもよい。
【００２９】
また、図２、図３に示すように太陽電池モジュール１の裏面にはベース板５の支持部材４ａ〜４ｄに対応する支持部材４ａ〜４ｈ（４ｆは不図示）が設けられている。ベース板の表面側および太陽電池モジュールの裏面側に設けた支持部材４はそれぞれ最低３つ以上必要である。この例では、支持部材４はベース板の表面側および太陽電池モジュールの裏面側にそれぞれ４つの支持部材を設けている。また、支持部材４が鉄やステンレス、アルミニウムのような金属や、ポリカーボネイトやエポキシ樹脂などの樹脂成型品で作られたワイヤのガイドであり、本例では滑車の形態を用いたものとしているが、他にローラー状としたり、ガイド穴を開けて穴の中をワイヤが滑るようにしたものでもよい。一方、前述したワイヤ３は支持部材４（４ａ〜４ｈ）を全て通過するループ状を成す紐状のものであり、材質としては鉄やステンレスなどを縒りあわせた金属製ワイヤやケブラーのような樹脂を縒りあわせた樹脂製ワイヤ、天然ゴムや合成ゴムを輪状にしたゴム製ワイヤが適用される。
【００３０】
次に支持部材４とワイヤ３の働きについて詳細に説明する。
【００３１】
図５の（ａ）、（ｂ）は本発明に係る太陽光発電装置のワイヤと支持部材の配置を示す図であり、（ａ）は斜視図、（ｂ）は太陽電池モジュール側から見た平面図、図６は本発明に係る太陽光発電装置に風荷重が加わった状態を説明する斜視図、図７の（ａ）、（ｂ）は本発明に係る太陽光発電装置の太陽電池モジュールを傾斜させた状態を模式的に説明する図であり、（ａ）は側面図、（ｂ）は太陽電池モジュール側から見た平面図である。
【００３２】
図５（ａ）、図５（ｂ）にベース板５上の支持部材４（４ａ〜４ｄ）と、太陽電池モジュールに取り付けられた支持部材４（４ｅ〜４ｈ）の配置を示す。なお、説明のため太陽電池モジュールは不図示としている。図５（ｂ）に示すように、ワイヤ３（３ａ〜３ｈ）は支持部材４（４ａ〜４ｈ）を全て通過するループ状を成している。このうち、ワイヤ３ａ〜３ｃおよび３ｅ〜３ｇは図５（ａ）に示すように立ち上がっており、太陽電池モジュールに設けられた支持部材４ｅ〜４ｈを介してワイヤ３ａ、３ｃ、３ｅ、３ｇが太陽電池モジュールを張力によってベース板５の方向へ引っ張るようにしている。このようにすることで、図６に示すような風Ｗの負圧荷重に対して、支柱６および回動部６ａとワイヤ３によって太陽電池モジュール１がベース板５に支持されるようになり、風荷重に対する荷重分散が行なわれる。
【００３３】
具体的には図中の風Ｗによる風荷重は太陽電池モジュール１を持ち上げようとする力として働く。これにより太陽電池モジュール１が浮き上がろうとするが、支柱６と回動部６ａが太陽電池モジュール１を支持しているので、浮き上がることができない。さらに太陽電池モジュール１に取り付けられた支持部材４ｇおよび４ｈと、ベース板５の支持部材４ｃおよび４ｄと、前記支持部材を通るワイヤ３ｅと３ｇの張力によっても太陽電池モジュール１の浮き上がりが抑えられることにより、風Ｗの負圧荷重は支柱６（回動部６ａ）とワイヤ３ｅおよび３ｇの３点に分散されることになり、支柱６（回動部６ａ）の破損が生じにくい。しかもワイヤ３がループ状であることにより、直接負圧荷重を受けるワイヤ３ｅおよび３ｇの力はワイヤ３（３ａ〜３ｈ）のすべてに加わることとなり、各ワイヤ３を支持する支持部材４（４ａ〜４ｈ）に分散されるので、支持部材４の太陽電池モジュール１およびベース板５への固定強度も緩和することができる。なお、支持部材４によるワイヤ３の荷重伝達は１００％ではなく、また、ワイヤ３の伸びなどの要因により、前述した支持部材４への荷重分散は一律にはならない。
【００３４】
なお、ベース板５の地面等の設置面への固定方法について特に図示していないが、風等で飛ばされたり転倒されることの無いよう、コンクリートブロックを積み上げたり、アンカー設置で強固に固定してもよく、太陽電池モジュールの方位、傾斜角度は自由に変更可能である。
【００３５】
次に、回動部６ａとワイヤ３を用いて太陽電池モジュール１の受光方向と傾斜角度を変更する動作について説明する。なお、回動部６ａの動きについては先に述べているので、ワイヤ３の動きについて述べるものとする。前述した図６の構成において太陽電池モジュール１の片端１ａを下に押し下げて図７（ａ）のような傾斜状態とする場合、まず太陽電池モジュール１の片端１ａを押し下げる。これにより支持部材４ｇおよび４ｈが持ち上がろうとするが、太陽電池モジュール１とベース板５との間のワイヤ３ｅおよび３ｇの長さ、即ち支持部材４ｇ−４ｃ間と４ｈ−４ｄ間の長さが不足しているため、そのままでは動くことができない。一方、押し下げられる側であるワイヤ３ａおよび３ｃ、即ち支持部材４ｆ−４ｂ間と４ｅ−４ａ間の長さは縮もうとしている。そこで図７（ｂ）のように支持部材４ａ〜４ｈの各間のワイヤ３の長さの割振りを変えることで太陽電池モジュール１を傾斜させる動きを可能とする。図中の矢印はワイヤ３の位置が移動した距離を示している。また、そしてワイヤ３をいずれか１ヶ所でも動かないように固定することにより、太陽電池モジュール１はその状態で固定されるのである。
【００３６】
上記に述べた本発明の実施例はベース板５と太陽電池モジュール１の裏面側にそれぞれループ状ワイヤを支持する支持部材が４つずつ設けられているが、４つに限らず、３つ、５つなど３つ以上ならループ状ワイヤを通して太陽電池モジュールを所定の傾斜角度に固定できる。
【００３７】
図８は本発明に係る太陽光発電装置の他の実施例を模式的に説明する太陽電池モジュール側から見た平面図である。
【００３８】
また、図８に示すように、ワイヤ３に常に一定のテンション（張力）がかかるように、ワイヤ押え部７を用いてワイヤ３の張力制御を行なわせるものとしても良い。このようにすることでワイヤ３の温度による伸び縮みによるたわみや過剰張力がかかるのを防止し、ワイヤのストレスを軽減させて寿命を延ばすことができる。また、一定の張力に保つことによって太陽電池モジュールの方位、傾斜角度調整後に特にワイヤの固定をせずとも、一定に保たれた張力だけで状態の保持を行なえるようにすることもできる。
【００３９】
図９の（ａ）、（ｂ）は本発明の太陽光発電装置の他の実施例を模式的に説明する図であり、（ａ）は側面図、（ｂ）は太陽電池モジュール側から見た平面図である。
【００４０】
また、図９（ｂ）に示すように、４本の支柱９（９ａ〜９ｄ）で太陽電池モジュール（不図示）を支え、４本の支柱の足先に図９（ａ）のように支持部材４（４ａ〜４ｄ）を取り付けるようにして、ベース板を無くして支柱で直接設置面に設置されるようにしてもよい。
【００４１】
具体的には回動部６ｂは太陽電池モジュール１０を上下左右に回動可能とするとともに、支柱９（９ａ〜９ｄ）との連結側も各々が上下左右に回動可能な構造としており、前記支柱９（９ａ〜９ｄ）の傾斜角度は個別に設定することができる。支柱９（９ａ〜９ｄ）の足部８（８ａ〜８ｄ）には支持部４ａ〜４ｄが取り付けられており、太陽電池モジュール１０の裏面には支持部材４ｅ〜４ｈが取り付けられる。そして各支持部材４（４ａ〜４ｈ）間にワイヤ３を通すと同時に前記ワイヤ３が張力を保てるように足部８（８ａ〜８ｄ）の配置を決めてアンカーなどで設置面に固定する。このようにすることで、太陽光発電装置を不整地のような水平面でない場所へも安定した設置ができるようになり、しかも部品点数の削減および軽量化ができる。なお、ワイヤ３の支持部材４（４ａ〜４ｈ）の通し方は図５で述べた方法と同じであるので特に説明しないものとする。
【００４２】
図１０に示す本発明の他の実施例は４本の支柱を使用して太陽電池モジュール１０を支えているが、４つに限らず３つ以上の支柱を使用すれば、太陽電池モジュールを支えることができる。
【００４３】
図１０は本発明に係る太陽光発電装置の他の実施例を模式的に説明する側面図である。
【００４４】
さらに、図１０に示すように、ワイヤ３の一部分に接合金具１１を設けることによって結合および分離を可能とし、ワイヤ３の接合を外して支柱６をフリーな状態にすることで輸送時の体積を減少させることができ、搬送が容易になる。
【００４５】
また、本実施形態では、四角形の太陽電池モジュールに合わせた架台を提案しているが、輪状のワイヤ（もしくは紐状のもの）によって太陽電池モジュールの頂点を結び、操作性を持たす本発明の要旨を逸脱しない範囲では、どのような図形の太陽電池モジュールにも適宜変更し実施が可能である。
【図面の簡単な説明】
【００４６】
【図１】本発明に係る太陽光発電装置の実施形態の一例を模式的に示す斜視図である。
【図２】本発明に係る太陽光発電装置の状態を示す正面図である。
【図３】本発明に係る太陽光発電装置の状態を示す側面図である。
【図４】（ａ）〜（ｃ）は本発明に係る太陽光発電装置の回動部の構造を示す側面図であり、（ａ）は水平時、（ｂ）は傾斜時、（ｃ）は方位変更時の動きを示す。
【図５】（ａ）、（ｂ）は本発明に係る太陽光発電装置のワイヤと支持部材の配置を示す図であり、（ａ）は斜視図、（ｂ）は太陽電池モジュール側から見た平面図である。
【図６】本発明に係る太陽光発電装置に風荷重が加わった状態を説明する斜視図である。
【図７】（ａ）、（ｂ）は本発明に係る太陽光発電装置の太陽電池モジュールを傾斜させた状態を模式的に説明する図であり、（ａ）は側面図、（ｂ）は太陽電池モジュール側から見た平面図である。
【図８】本発明に係る太陽光発電装置の他の実施例を模式的に説明する太陽電池モジュール側から見た平面図である。
【図９】（ａ）、（ｂ）は本発明の太陽光発電装置の他の実施例を模式的に説明する図であり、（ａ）は側面図、（ｂ）は太陽電池モジュール側から見た平面図である。
【図１０】本発明に係る太陽光発電装置の他の実施例を模式的に説明する側面図である。
【図１１】従来の太陽電池モジュールの構成の例を示す断面図である。
【図１２】従来の太陽光発電装置（太陽電池アレイ）の例を模式的に示す斜視図である。
【符号の説明】
【００４７】
１、１０：太陽電池モジュール
１ａ：片端
２：バックパネル
３、３ａ〜３ｈ：ワイヤ
４、４ａ〜４ｈ：支持部材
５：ベース板
６：支柱
６ａ、６ｂ：回動部
７：ワイヤ押え部
８：足部
９、９ａ〜９ｄ：支柱
１１：接合金具
１９：ジャンクションボックス
２０：太陽電池モジュール
２１：枠体
２３：太陽電池素子
２４：光透過板
２５：充填材
２６：耐候性フィルム
３１：基礎
３２：底部レール
３３：上部レール
３４：短辺レール
３５：長辺レール
Ｓ：太陽光発電装置
Ｗ：風
【図１】
2005317588.tif 000003
【図２】
2005317588.tif 000004
【図３】
2005317588.tif 000005
【図４】
2005317588.tif 000006
【図５】
2005317588.tif 000007
【図６】
2005317588.tif 000008
【図７】
2005317588.tif 000009
【図８】
2005317588.tif 000010
【図９】
2005317588.tif 000011
【図１０】
2005317588.tif 000012
【図１１】
2005317588.tif 000013
【図１２】
2005317588.tif 000014